(57)【要約】【課題】ユーザが希望する物品をユーザが希望する者に対してユーザの生前あるいは死後に引き渡すための支援をすることができるようにする。【解決手段】ユーザ情報と、ユーザが指定する受取人に関する情報を示す受取人情報と、予め定められた特定時期（引渡し時期）に受取人に引き渡す物品が収納された物品収納容器（保存箱）の管理状況を示すステータス情報とを含む管理情報を記憶する記憶部と、管理情報の更新要求に応じてその管理情報を更新する更新処理部と、特定時期となったことを確認した場合に、受取人に対して物品収納容器を引き渡すための指示を行う引渡し処理部とを備えた。【選択図】図３
2020030504.tif 000002
【特許請求の範囲】
【請求項１】
ユーザに関する情報を示すユーザ情報と、前記ユーザが指定する受取人に関する情報を示す受取人情報と、予め定められた特定時期に前記受取人に引き渡す物品が収納された物品収納容器の管理状況を示すステータス情報とを含む管理情報を記憶する記憶部と、
前記管理情報の更新要求に応じて当該管理情報を更新する更新処理部と、
前記特定時期となったことを確認した場合に、前記受取人に対して前記物品収納容器を引き渡すための指示を行う引渡し処理部とを備えた
ことを特徴とする情報管理装置。
【請求項２】
前記更新処理部は、前記ユーザ、当該ユーザの縁故者、又は前記物品収納容器の管理者からの要求に応じて、前記ユーザ情報に含まれる前記ユーザの状況を示すユーザ状況情報および／または前記ユーザ情報に含まれる前記特定時期を示す特定時期情報を更新し、
前記引渡し処理部は、前記ユーザ状況情報および／または前記特定時期情報が更新されたときに前記特定時期となったか否かを確認する
請求項１に記載の情報管理装置。
【請求項３】
前記引渡し処理部は、定期的に前記特定時期となったか否かを確認する
請求項１または請求項２に記載の情報管理装置。
【請求項４】
前記引渡し処理部は、前記ステータス情報が示す管理状況が前記物品収納容器の管理中であった場合に、前記物品収納容器を前記受取人に対して引き渡すための指示を行う
請求項１から請求項３のうちいずれかに記載の情報管理装置。
【請求項５】
前記引渡し処理部は、前記物品収納容器を管理する管理者に対して、当該前記物品収納容器を引き渡すための指示を行う
請求項１から請求項４のうちいずれかに記載の情報管理装置。
【請求項６】
ユーザに関する情報を示すユーザ情報と、前記ユーザが指定する受取人に関する情報を示す受取人情報と、予め定められた特定時期に前記受取人に引き渡す物品が収納された物品収納容器の管理状況を示すステータス情報とを含む管理情報を管理するための処理を情報管理装置に実行させるための情報管理処理プログラムであって、
前記情報管理装置に、
前記管理情報の更新要求に応じて当該管理情報を更新する更新処理と、
前記特定時期となったことを確認した場合に、前記受取人に対して前記物品収納容器を引き渡すための指示を行う引渡し処理とを
実行させるための情報管理処理プログラム。
【発明の詳細な説明】
【技術分野】
【０００１】
本発明は、ユーザに関する情報を示すユーザ情報と、ユーザが指定する受取人に関する情報を示す受取人情報と、予め定められた特定時期に受取人に引き渡す物品が収納された物品収納容器の管理状況を示すステータス情報とを含む管理情報を管理する情報管理装置及び情報管理装置に情報管理処理を実行させるための情報管理処理プログラムに関するものである。
【背景技術】
【０００２】
特許文献１−２には、故人が希望する縁故者に対して、その故人が生前に記録した情報を伝達するシステムが開示されている。
【先行技術文献】
【特許文献】
【０００３】
【特許文献１】特開２０１２−１６８６６４号公報
【特許文献２】特許第６３４８６３４号公報
【発明の概要】
【発明が解決しようとする課題】
【０００４】
特許文献１−２に記載のシステムによれば、故人の伝言内容を縁故者に開示することができる効果があるが、開始される情報は電子化された情報に限られる。
【０００５】
また、縁故者に残そうとして用意したものであっても、生前に引き渡したくなる場合も考えられる。
【０００６】
本発明は、上記問題点に鑑みなされたものであり、希望する物品を希望する者に対して生前あるいは死後に引き渡すための支援をすることができるようにすることを目的とする。
【課題を解決するための手段】
【０００７】
本発明に係る情報管理装置は、ユーザに関する情報を示すユーザ情報と、前記ユーザが指定する受取人に関する情報を示す受取人情報と、予め定められた特定時期に前記受取人に引き渡す物品が収納された物品収納容器の管理状況を示すステータス情報とを含む管理情報を記憶する記憶部と、前記管理情報の更新要求に応じて当該管理情報を更新する更新処理部と、前記特定時期となったことを確認した場合に、前記受取人に対して前記物品収納容器を引き渡すための指示を行う引渡し処理部とを備えたことを特徴とする。
【０００８】
前記更新処理部は、前記ユーザ、当該ユーザの縁故者、又は前記物品収納容器の管理者からの要求に応じて、前記ユーザ情報に含まれる前記ユーザの状況を示すユーザ状況情報および／または前記ユーザ情報に含まれる前記特定時期を示す特定時期情報を更新し、前記引渡し処理部は、前記ユーザ状況情報および／または前記特定時期情報が更新されたときに前記特定時期となったか否かを確認するように構成されていてもよい。
【０００９】
前記引渡し処理部は、定期的に前記特定時期となったか否かを確認するように構成されていてもよい。
【００１０】
前記引渡し処理部は、前記ステータス情報が示す管理状況が前記物品収納容器の管理中であった場合に、前記物品収納容器を前記受取人に対して引き渡すための指示を行うように構成されていてもよい。
【００１１】
前記引渡し処理部は、前記物品収納容器を管理する管理者に対して、当該前記物品収納容器を引き渡すための指示を行うように構成されていてもよい。
【００１２】
本発明に係る情報管理処理プログラムは、ユーザに関する情報を示すユーザ情報と、前記ユーザが指定する受取人に関する情報を示す受取人情報と、予め定められた特定時期に前記受取人に引き渡す物品が収納された物品収納容器の管理状況を示すステータス情報とを含む管理情報を管理するための処理を情報管理装置に実行させるための情報管理処理プログラムであって、前記情報管理装置に、前記管理情報の更新要求に応じて当該管理情報を更新する更新処理と、前記特定時期となったことを確認した場合に、前記受取人に対して前記物品収納容器を引き渡すための指示を行う引渡し処理とを実行させるためのものである。
【発明の効果】
【００１３】
本発明によれば、希望する物品を希望する者に対して生前あるいは死後に引き渡すための支援をすることができるようになる。
【図面の簡単な説明】
【００１４】
【図１】本発明の実施形態に係る情報管理装置の構成例を示すブロック図である。
【図２】管理情報の例を示す説明図である。
【図３】情報管理処理の例を示すフローチャートである。
【図４】手紙などのユーザが希望するものが収納される保存箱の動きを説明するための説明図である。
【図５】登録画面の例を示す説明図である。
【図６】更新画面の例を示す説明図である。
【発明を実施するための形態】
【００１５】
以下、図面を参照して、本発明の実施の形態に係る情報管理装置の例について説明する。図１は、本発明に係る情報管理装置１０の構成例を示すブロック図である。図１に示すように、情報管理装置１０は、登録処理部１１と、更新処理部１２と、引渡し処理部１３と、表示部１４と、記憶部１５とを備えている。
【００１６】
登録処理部１１は、後述する情報管理処理における登録処理を実行する機能を有し、この登録処理によりユーザ情報等が登録される。更新処理部１２は、後述する情報管理処理における更新処理を実行する機能を有し、この更新処理によりステータス情報等が更新される。
【００１７】
引渡し処理部１３は、後述する情報管理処理における引渡し処理を実行する機能を有し、この引渡し処理により保存箱を引き渡すための対応処理がなされる。保存箱は、ユーザが故人となった場合等に、そのユーザが指定した受取人に引き渡す物品が収納された物品収納容器の例である。
【００１８】
表示部１４は、例えば液晶表示装置などの表示装置であって、各種情報を表示する機能を有する。記憶部１５は、例えばＲＡＭなどの記憶装置であって、各情報を記憶する機能を有する。後述する情報管理処理を実行するためのアプリケーションである情報管理処理ソフトウェア（情報管理処理プログラム）は、記憶部１５に格納されている。情報管理装置１０は、情報管理処理プログラムに従って、各種の情報管理処理を実行する。
【００１９】
図２は、管理情報の例を示す説明図である。管理情報は、各ユーザを識別するためのユーザＩＤと、各ユーザの氏名や住所など各ユーザを特定するためのユーザ情報と、各ユーザが指定した受取人を特定するための受取人情報と、各ユーザの保存箱の管理状態等を示すステータス情報とを含む。
【００２０】
本例では、ユーザ情報には、ユーザが死亡したか否か等のユーザの現在の状況を示す状況フラグが含まれる。この状況フラグは、初期状態では生存していることを示す「０」が設定され、ユーザが死亡したという情報を得たことに応じて死亡したことを示す「１」に更新されたり、ユーザと所定期間（例えば３年間）連絡が取れない場合に連絡が取れない状況であることを示す「２」に更新されたりする。
【００２１】
また、本例では、ユーザ情報には、ユーザが希望する引渡し時期（特定時期の例）を示す引渡し時期情報（特定時期情報の例）が含まれる。引渡し時期情報は、受取人に対して保存箱を引き渡す時期としてユーザ又は保存箱管理者が予め定めた時期を示す情報である。引渡し時期としては、例えば、死亡確認後、死亡確認から所定期間経過後、死亡したかどうかとは無関係にユーザが指定した時期、ユーザと所定期間連絡が取れなくなった時期などが考えられる。
【００２２】
次に、情報管理装置１０が実行する情報管理処理の例について説明する。図３は、本発明の実施の形態に係る情報管理装置１０が実行する情報管理処理の例を示すフローチャートである。図４は、保管対象となる保存箱の動きを説明するための説明図である。
【００２３】
本例では、図４に示すように、保存箱管理者から保存箱がユーザに付与され（ステップＳ１０１）、ユーザが記載した手紙や、ユーザが選択した写真などの思い出の品など、ユーザが希望する物品がユーザによって保存箱に収納される。この保存箱は、保存箱管理者を含む他人が開封しないよう、密封して封印しておくことが望ましい。ユーザが希望する物品が収納された保存箱は、ユーザから保存箱管理者に渡され（ステップＳ１０２）、保存箱管理者によって保管される（ステップＳ１０３）。そして、ユーザの死亡が確認された場合等のユーザが希望する時期となった場合に、保存箱管理者からユーザの指定する受取人に対して、ユーザが物品を収納した保存箱が引き渡されることになる（ステップＳ１０３）。
【００２４】
ここでは、ユーザやユーザ関係者（受取人を含む）からの指示などにより情報の登録や更新などを行う必要が発生した場合に、保存箱管理者（例えば、お寺などの宗教法人）側の担当者Ｘの操作に応じて、情報管理装置１０が情報管理処理を実行するものとする。本例では、情報管理処理ソフトウェアが立ち上げられ、情報管理処理が実行される。ユーザからの指示とは、保存箱の取得要求に基づく登録指示や、保存箱の収納物の見直しに基づく更新指示などが考えられる。ユーザ関係者からの指示とは、ユーザが死亡したことの通知に基づく更新指示などが考えられる。
【００２５】
情報管理処理において、情報管理装置１０は、処理対象となるユーザが新規のユーザである場合には（ステップＳ１０のＹ）、ユーザＩＤを付与し（ステップＳ１１）、ユーザ情報及び受取人情報を受け付ける（ステップＳ１２，Ｓ１３）。ステップＳ１２，Ｓ１３では、図５に示す登録画面１００によりユーザ情報及び受取人情報を受け付ける。
【００２６】
登録画面１００には、図５に示すように、ユーザＩＤを表示する表示領域と、ユーザ（保存箱の申込者）の氏名を入力する入力領域１０１と、ユーザの住所を入力する入力領域１０２と、状況フラグを入力する入力領域１０３と、引渡し時期を入力する入力領域１０４と、その他のユーザ情報が入力される入力領域（図示せず）と、ユーザが希望する受取人の氏名や住所などの受取人情報を入力するための入力領域１０５と、ステータスを示すステータス情報が入力される入力領域１０６と、登録を実行する際に押下される登録ボタン１０７とが設けられている。
【００２７】
ユーザ情報は、ユーザの氏名や住所の他、電話番号や生年月日などが考えられる。受取人情報は、受取人の氏名、住所、電話番号、生年月日、性別、ユーザとの関係（例えば、妻、長男など）などが考えられる。なお、複数の受取人の受取人情報を登録することとしてもよい。この場合、受取人情報に保存箱を引き渡す優先順位を含めるようにしておけばよい。
【００２８】
ユーザ情報及び受取人情報が入力され、登録ボタン１０７の押下により登録指示を受けると、情報管理装置１０は、入力されたユーザ情報、受取人情報、及びステータス情報をユーザＩＤに対応付けした管理情報を生成して登録する（ステップＳ１４）。
【００２９】
管理情報を登録すると、情報管理装置１０は、ユーザへの保存箱の引渡し指示を行う（ステップＳ１５）。この引渡し指示は、登録されたユーザ情報のうち引渡しに必要な情報（郵送する場合は住所など）を提示して行われる。具体的には、引渡し処理として、表示部１４に引渡し指示内容を表示する処理や、引渡し指示内容を所定の担当者宛に電子メールで送信する処理などが考えられる。
【００３０】
一方、処理対象となるユーザが登録ユーザである場合には（ステップＳ１０のＮ）、情報管理装置１０は、ユーザＩＤを受け付け（ステップＳ１６）、ユーザ情報、受取人情報、ステータス情報などの登録情報を更新するための更新情報を受け付ける（ステップＳ１７）。ステップＳ１７では、更新画面により更新情報を受け付ける。
【００３１】
ここでは、ステータス情報の更新が行われる場合を例に説明する。図６に示す更新画面２００は、ステータス情報を更新するための更新画面である。更新画面２００には、図６に示すように、ユーザＩＤを表示する表示領域と、保存箱のステータスを選択する選択領域２０１と、更新を実行する際に押下される更新ボタン２０２とが設けられている。図６に示す例では、保存箱のステータスとして、本例の初期ステータスである保管待ち、保管中、ユーザが収納物を見直すために保存箱を一時的に持ち出ししている状態を示す一時持出中、受取人引渡し済の４種類が用意されている。
【００３２】
選択領域２０１において更新されたステータスが選択されることにより更新情報を受け付け、更新ボタン２０１の押下により更新指示を受けると、情報管理装置１０は、入力された更新情報に応じて管理情報を更新する（ステップＳ１８）。ユーザ情報や受取人情報の更新指示を受けた場合には、ステップＳ１８にてユーザ情報や受取人情報が更新される。ユーザの死亡が確認された場合などには、ステップＳ１８にてユーザ情報に含まれる状況フラグが更新される。また、引渡し時期を変更する場合には、ステップＳ１８にて引渡し時期情報が更新される。
【００３３】
管理情報の更新により引渡し時期となったことが確認された場合には（ステップＳ１９のＹ）、情報管理装置１０は、ユーザが指定する受取人への保存箱の引渡し指示を行う（ステップＳ２０）。この引渡し指示は、登録された受取人情報のうち引渡しに必要な情報（郵送する場合は住所など）を提示して行われる。具体的には、引渡し処理として、表示部１４に引渡し指示内容を表示する処理、引渡し指示内容を所定の担当者宛に電子メールで送信する処理、受取人宛に引き取り要請を行う内容の通知を電子メールで送信する処理などが考えられる。
【００３４】
上記のようにして、情報管理装置１０によって、情報登録処理、情報更新処理、引渡し処理などの情報管理処理が実行される。
【００３５】
以上のように、本発明に係る管理装置１０によれば、ユーザに関する情報を示すユーザ情報と、ユーザが指定する受取人に関する情報を示す受取人情報と、予め定められた特定時期（例えば引渡し時期）に受取人に引き渡す物品が収納された物品収納容器（例えば保存箱）の管理状況を示すステータス情報とを含む管理情報を記憶する記憶部１５と、管理情報の更新要求に応じてその管理情報を更新する更新処理部１２と、特定時期となったことを確認した場合に、受取人に対して物品収納容器を引き渡すための指示を行う引渡し処理部１３とを備えた構成としたため、ユーザが希望する物品をユーザが希望する者に対してユーザの生前あるいは死後に引き渡すための支援をすることができるようになる。
【００３６】
すなわち、例えば特定時期が死亡後とされていた場合には、故人が残したものをその故人が希望する者に引き渡すための支援をすることができるようになる。また、例えば特定時期が入院してから３か月後とされていた場合（この場合、入院する時期はユーザから通知を受ける）には、ユーザの生前あるいは死後に、そのユーザが希望する受取人に対して、ユーザが望む物を引き渡すための支援をすることができるようになる。
【００３７】
また、本発明に係る管理装置１０によれば、更新処理部１２が、ユーザ、ユーザの縁故者、又は前記物品収納容器の管理者からの要求に応じて、ユーザ情報に含まれるユーザの状況を示すユーザ状況情報（例えば状況フラグ）および／またはユーザ情報に含まれる特定時期を示す特定時期情報を更新し、引渡し処理部１３が、ユーザ状況情報および／または特定時期情報が更新されたときに特定時期となったか否かを確認する構成としたため、ユーザの状況や特定時期が更新されたタイミングで引き渡す時期となったか否かを確認し、迅速に引き渡すための支援をすることができるようになる。
【００３８】
なお、上述した実施の形態では言及していないが、更新される引渡し時期は、「今すぐ」と更新されるようにしてもよい。この場合、引渡し時期が更新された場合にすぐに保存箱を引き渡すための指示がなされることになる。
【００３９】
また、上述した実施の形態では言及していないが、引渡し処理部１３が、状況フラグや引渡し時期が更新されたか否かとは無関係に、定期的に特定時期となったか否かを確認するようにしてもよい。このように構成すれば、引渡し時期が特定の年月日となっていた場合（この場合、その年月日の数日前となったか否かを監視する）であっても、保存箱を引き渡すための指示を行うことができるようになる。
【００４０】
また、上述した実施の形態では情報管理装置１０として説明したが、パーソナルコンピュータや携帯情報端末など、情報処理装置であればどのようなものであってもよい。また、情報管理装置１０は、サーバ装置として機能し、各種情報を端末装置からインターネットを介して受け付け、その端末装置に向けて各種情報を送信する構成としてもよい。
【符号の説明】
【００４１】
１０            情報管理装置
１１            登録処理部
１２            更新処理部
１３            引渡し処理部
１４            表示部
１５            記憶部
【図１】
2020030504.tif 000003
【図２】
2020030504.tif 000004
【図３】
2020030504.tif 000005
【図４】
2020030504.tif 000006
【図５】
2020030504.tif 000007
【図６】
2020030504.tif 000008